(57)【要約】【課題】  洗濯機の上面に設置される操作ボタンを水から保護し、日光の直射から保護する洗濯機カバーとして、洗濯に際してカバーの取り扱いが簡単に、かつ、仮置きに場所を取らないカバーを提供すること。【解決手段】  洗濯機の頭部をカバーする洗濯機カバーであって、洗濯機の頭部の平面形状に合致する平方形状の主体部を有し、その主体部の４周囲にスカート部を連接してなり、カバーを洗濯機の胴部に固定するために伸縮可能の一対の固定バンドをスカート部に固着し、該固定バンドの先端に平面ファスナーを固定したことを特徴とする。【選択図】図１
0003131749.tif 000002
【実用新案登録請求の範囲】
【請求項１】
洗濯機の頭部をカバーする洗濯機カバーであって、洗濯機の頭部の平面形状に合致する平方形状の主体部を有し、その主体部の４周囲にスカート部を連接してなり、カバーを洗濯機の胴部に固定するために伸縮可能の一対の固定バンドをスカート部に固着し、該固定バンドの先端に平面ファスナーを固定したことを特徴とする洗濯機カバー。
【請求項２】
請求項１記載の洗濯機カバーにおいて、主体部にアルミ箔とウレタン樹脂を積層してなる遮光シートを縫着したことを特徴とする洗濯機カバー。
【考案の詳細な説明】
【技術分野】
【０００１】  本考案は、洗濯機を被覆して塵埃や汚れを防止し、外観的にも見苦しくない状態を保つことのできる洗濯機カバーに関するものである。
【背景技術】
【０００２】  従来、居住空間を有効に利用するために、洗濯機を室内に設置することなくベランダに設置するケース、あるいは、労力を軽減させるために洗濯干しに接近してベランダ、あるいは、戸外に設置する事が行われる。【０００３】  ところで、かかる場合において洗濯機は雨水に曝され、あるいは、日光の直射を受け、洗濯機の上面に設置される操作ボタンを水から保護するための薄い樹脂シートは太陽光に対する耐性がおとることから、劣化がはなはだしく、膨潤し、剥離するなどして破損し、この結果、該部分から水分が浸入することから操作ボタンの作動を不能に至らしめることとなる。【０００４】  さらに、太陽光の直射や、風雨を受けた洗濯機上部操作パネルの樹脂シートのはなはだしい劣化により、操作パネルの文字も見分けがつきにくくなり、さらに操作パネルの樹脂シートが捲れた部分から水分が浸透し、洗濯機の本来の対応年数よりも操作パネルの故障の為に対応年数が大幅に短期になってしまう。【０００５】  このような状況に対して、洗濯機の頭部を被覆する洗濯機カバーが提案されている。即ち、覆蓋カバーと側壁を被覆する本体カバーとが別体に構成されて成るセパレートタイプの洗濯機カバーが提案されている。このタイプは覆蓋カバーを外すだけで本体カバーを被着したまま洗濯ができ、覆蓋カバーの着脱も容易で簡便であるとして、最近ではこれが主流となりつつある。【０００６】  しかしながら、洗濯機の上部後方には通常、給水ホース等の付設部材が取付けられるのに対し、従来の洗濯機カバーにおいてはこの点が考慮されないために覆蓋カバーが洗濯機に適合しない場合が多く、洗濯後においてホース等を取り外さなければカバーが被着できない場合もあった。【０００７】  かてて加えて、従来の洗濯機カバーにおける最大の問題は、日常的に行われる洗濯に際して、前述する上部カバーを取り外し、その取り外したカバーを別の場所に一時的に仮置きしなければならず、仮置きした場合に邪魔となるという問題を有するものである。【０００８】  特に、高齢化が進む現代において、そのカバーの着脱操作に苦痛を感じることから、効果的なカバーも使用されず、結果、前述する操作パネルの故障の為に洗濯機の本来の対応年数よりも対応年数が大幅に短期になってしまうこととなる。
【特許文献１】  登録実用新案第３０２０６２８号公報
【特許文献２】  実開平７−３５９１号公報
【考案の開示】
【考案が解決しようとする課題】
【０００９】  前述の諸点に鑑み、洗濯機の上面に設置される操作ボタンを水から保護し、日光の直射から保護する洗濯機カバーとして、洗濯に際してカバーの取り扱いが簡単に、かつ、仮置きに場所を取らないカバーを提供することである。
【課題を解決するための手段】
【００１０】  前述する課題を解決するための本考案にかかる洗濯機カバーの構成は、洗濯機の頭部をカバーする洗濯機カバーであって、洗濯機の頭部の平面形状に合致する平方形状の主体部を有し、その主体部の４周囲にスカート部を連接してなり、カバーを洗濯機の胴部に固定するために伸縮可能の一対の固定バンドをスカート部に併合し、該固定バンドのそれぞれの先端に平面ファスナーを固定した点に存するものである。【００１１】  また、本考案にかかる洗濯機カバーの構成は、洗濯機カバーの主体部にアルミ箔とウレタン樹脂を積層してなる遮光シートを縫着した点に存するものである。
【考案の効果】
【００１２】  洗濯機上部カバーを洗濯機に取り付けることで、太陽光の直射や、風雨、塵、鳩、雀、烏等の鳥類の排泄物、思わぬ落下物などから、上部操作パネルを保護することは勿論、さらに、主体部に遮光シートを縫着することによって太陽光の直射光を遮光できるために、操作パネルの著しい劣化を防ぐことから、洗濯機の本来の対応年数になしうる。【００１３】  上記の洗濯機カバーを洗濯機外周に固定するための固定バンドを設けることによって、取り外したカバーをそのままの状態で洗濯機に取り付けた状態を維持することができることから、洗濯の都度、別の場所に置かなければならないという労力を軽減することができる。【００１４】  さらに建造物の構造上、洗濯機の設置場所は様々ですが、このカバーは洗濯機側面の四方のどこでにも移動することが可能なので、どんな住宅のも対応することが可能なものである。
【実施例】
【００１５】  本考案にかかる洗濯機カバーの構成を図示の実施例に基づいて説明するに、１は洗濯機の頭部をカバーする洗濯機カバーであって、その素材は例えば防水性、遮光性を考慮して樹脂シートで構成するのが望ましく、洗濯機の頭部の平面形状に合致する平方形状の主体部２を有し、洗濯機カバーの主体部２に遮光シートＢを縫着し、例えば、この遮光シートＢとしては、防水性のあるナイロン生地７にアルミ箔８とウレタン樹脂９を挟み積層したものである。【００１６】  前期主体部２の４周囲には、スカート部３を連接してなり、洗濯機の胴部に固定する伸縮可能の固定バンド４の一端をスカート部３の一端に併合６し、該固定バンドの他端に平面ファスナー５の一方を固定し、もう一方の他端にも平面ファスナー５の一方を固定し洗濯機胴部に巻き付けたものである。【００１７】  なお、このスカート部３には、四辺の下部に、固定バンド４には、上部と下部に伸縮可能の平面弾性紐帯１０を包蔵しており、さらに四辺にある防滑生地１１により洗濯機本体とより密着できる。【００１８】  このように構成された洗濯カバーは、まず、洗濯機カバー１に併合してある固定バンド４を洗濯機本体胴部に巻きつけ、固定バンド４の両先端にある平面ファスナー５で固定する。【００１９】  その次にスカート部３を擁する主体部２を洗濯機頭部に被着させ、同時に固定バンド４がスカート部３まで隠れるように被着させる。【００２０】  洗濯する際には、住居状況で異なるが、洗濯機四方に自由に洗濯機カバーが動かせるため、邪魔にならない場所にに外しておけば、固定バンド４に併合しているため、固着したまま垂れ下がる状態で維持でき、洗濯後には垂れ下がっていた主体部２を再度、スカート部３を擁する主体部２を洗濯機頭部に被着させ、同時に固定バンド４がスカート部３まで隠れるように被着させる。
【図面の簡単な説明】
【００２１】
【図１】本考案にかかる洗濯機カバーの全体を示す斜視図
【図２】洗濯機カバー主体部と固定バンドの斜視分解図
【図３】洗濯機カバー主体部の縦断面図
【図４】図２における洗濯機カバー主体部と固定バンドの斜視縦断面図
【符号の説明】
【００２２】１：洗濯機カバー
２：主体部
３：スカート部
４：固定バンド
５：平面ファスナー
６：併合部
７：ナイロン生地
８：アルミ箔
９：ウレタン樹脂
１０：平面弾性紐帯
１１：防滑生地
Ａ：洗濯機
Ｂ：主体部、遮光シートの縦断面図
Ｃ：主体部、スカート部の縦断面図
Ｄ：固定バンドの縦断面図
【図１】
0003131749.tif 000003
【図２】
0003131749.tif 000004
【図３】
0003131749.tif 000005
【図４】
0003131749.tif 000006